(57)【特許請求の範囲】
【請求項１】
基板と、
前記基板との間にメモリーカードが着脱可能な隙間をあけて前記基板に実装されるメモリーカードコネクタと、
前記基板に取り付けられることによって前記基板との間で前記メモリーカードコネクタを囲むメモリーカードホルダ用ハウジングと、
を備える電子機器であって、
前記メモリーカードホルダ用ハウジングは、
天井壁と背面壁と両側面壁とを有して前面及び底面が開口したカバー部材と、
前記カバー部材に連設部で連設され、当該連設部を二つ折りにして前記メモリーカードホルダ用ハウジングを前記基板に取り付けることで、前記基板と前記カバー部材とで囲まれる内部空間を前記基板に対して垂直方向に二分する連設板と、
が一体に成形されてなり、前記メモリーカードコネクタは前記連設板により分けられた前記内部空間の下段空間に収納され、前記内部空間の上段空間にはバッテリが収納されることを特徴とする電子機器。
【請求項２】
前記カバー部材の前面開口は前記連設板により前記上段空間の前面開口と前記下段空間の前面開口とに分割され、前記メモリーカードホルダ用ハウジングは当該上段空間の前面開口を覆う内蓋部と、前記内蓋部が閉状態で前記カバー部材の前面開口全体を覆う外蓋部とを有し、
前記内蓋部は前記両側面壁の一方の前部に内蓋部用ヒンジを介して連設され、前記外蓋部は前記両側面壁の他方の前部に外蓋部用ヒンジを介して連設されていることを特徴とする請求項１に記載の電子機器。
【発明の詳細な説明】
【技術分野】
【０００１】
本発明は、基板と、当該基板に実装されたメモリーカードコネクタと、当該基板に取り付けられて当該基板との間で当該メモリーカードコネクタを囲むメモリーカードホルダ用ハウジングと、を有する電子機器に関するものである。
【背景技術】
【０００２】
電子機器には、補助記憶装置としてメモリーカードを使用するために、メモリーカードが装着脱されるメモリーカードホルダユニットが組み込まれていることがある。メモリーカードホルダユニットは基板と当該基板に実装されたメモリーカードコネクタと当該基板に取り付けられて当該基板との間でメモリーカードコネクタを囲むメモリーカードホルダ用ハウジングとから構成され、当該メモリーカードコネクタにメモリーカードを接続することによって（メモリーカードホルダユニットにメモリーカードを装着（挿入）することによって）データをメモリーカードに記録し、或いはメモリーカードに記録された情報を読み込むことができる。
【０００３】
ところで、上述したように、メモリーカードコネクタは基板に実装されており、基板においては少なくともメモリーカードの大きさに相当するカード実装面積が必要となる。また、基板には、メモリーカードコネクタ以外に種々の部品が実装されており、薄型のメモリーカードコネクタに比べて厚い、例えば、ＬＡＮコネクタ等が実装されている。これにより、メモリーカードコネクタの上部においてメモリーカード及びメモリーカードコネクタの占有面積とそれらよりも高さの高い他の部品とメモリーカードコネクタとの高さの差の積である余剰空間が存在していた。
【０００４】
特許文献１に開示されている電子機器は、電池収納室と記録媒体収納室とを近傍に配設して電池収納室の電池蓋を内蓋に、記録媒体収納室の記録媒体蓋を外蓋にした二重蓋構造とし、それぞれの蓋部材を閉状態とした際に内蓋と外蓋が当接して重ね合わせた状態となり蓋部材が必要とする占有面積を最小限にすることができることとしている。
【先行技術文献】
【特許文献】
【０００５】
【特許文献１】特開２００３−２４２９４８号公報
【発明の概要】
【発明が解決しようとする課題】
【０００６】
特許文献１の技術では上述の通り蓋部材が必要とする占有面積を最小限にすることができるが、電子機器が有する記録媒体収納室と他の部品との高さの関係（高さの差）に基づいて電池収納室と記録媒体収納室とを形成するものではない。また、電池収納室と記録媒体収納室を囲うハウジングが一体成形されていないため、他（別機種）の電子機器に流用できず、機種毎に新たに設計し直さなければならないという問題があった。
【０００７】
本発明は、上述した問題点に鑑み、メモリーカードコネクタの上部に存在する余剰空間を有効利用しつつ、電子機器の薄型化を阻害しない汎用性の高いメモリーカードホルダ用ハウジングを備える電子機器を提供することを目的とする。
【課題を解決するための手段】
【０００８】
上記目的を達成するために、本発明の電子機器は、基板と、前記基板との間にメモリーカードが着脱可能な隙間をあけて前記基板に実装されるメモリーカードコネクタと、前記基板に取り付けられることによって前記基板との間で前記メモリーカードコネクタを囲むメモリーカードホルダ用ハウジングと、を備える電子機器であって、前記メモリーカードホルダ用ハウジングは、天井壁と背面壁と両側面壁とを有して前面及び底面が開口したカバー部材と、前記カバー部材に連設部で連設され、当該連設部を二つ折りにして前記メモリーカードホルダ用ハウジングを前記基板に取り付けることで、前記基板と前記カバー部材とで囲まれる内部空間を前記基板に対して垂直方向に二分する連設板と、が一体に成形されてなり、前記メモリーカードコネクタは前記連設板により分けられた前記内部空間の下段空間に収納されていることことを特徴としている。
【０００９】
この構成によると、カバー部材と、基板とカバー部材とで囲まれる内部空間を二分する連設板とが連設部を介して一体に成形されているので、部品点数の削減を図ることができる。また、下段空間にメモリーカードコネクタが収納されることで、上段空間（メモリーカードコネクタの上部に存在する余剰空間）を有効利用できる。その際、上述したように、各収納部を囲うカバー部材を別々に形成する必要がない（各収納部を囲うカバー部材が一体に成形されている）ので、メモリーカードホルダ用ハウジングの高さ（厚さ）が高く（厚く）なるのを防ぐことができ、これにより、当該メモリーカードホルダ用ハウジングが組み込まれた電子機器の薄型化を阻害することがない。
【００１０】
また、上記構成の電子機器において、前記連設板により分けられた前記内部空間の上段空間にはバッテリが収納されていることが望ましい。
【００１１】
この構成によると、複数機種の電子機器で共用可能なバッテリを上段空間（メモリーカードコネクタの上部に存在する余剰空間）に収納（配置）することができるので、汎用性が向上する。
【００１２】
また、上記構成の電子機器において、前記カバー部材の前面開口は前記連設板により前記上段空間の前面開口と前記下段空間の前面開口とに分割され、前記メモリーカードホルダ用ハウジングは当該上段空間の前面開口を覆う内蓋部と、前記内蓋部が閉状態で前記カバー部材の前面開口全体を覆う外蓋部とを有し、前記内蓋部は前記両側面壁の一方の前部に内蓋部用ヒンジを介して連設され、前記外蓋部は前記両側面壁の他方の前部に外蓋部用ヒンジを介して連設されていることが望ましい。
【００１３】
この構成によると、内蓋部用ヒンジと外蓋部用ヒンジが同一の側面壁に形成されていないので、外蓋部が開状態となるのに伴って内蓋部が開状態となるを防止することができる。すなわち、例えば、内蓋部用ヒンジ及び外蓋部用ヒンジが共に左側面壁の前部に形成されている場合において、閉状態である外蓋部を開状態にするために外蓋部に力を加えると、外蓋部用ヒンジに対して左方向の力が加えられる。これに伴って左側面壁が左方向に歪曲し、さらにこれに伴って、左側面壁に形成されている内蓋部用ヒンジが左方向に移動することにより閉状態である内蓋部が開状態となることが考えられる。そこで、このような場合に、内蓋部用ヒンジを右側面壁の前部に形成することにより、閉状態である内蓋部が開状態となるのを防ぐことができる。
【００１４】
また、上記構成の電子機器において、前記カバー部材の前記両側面壁の一方はその前部が側方に膨出されてポケット部が形成されることによって、前記バッテリが備える接続コードを前記上段空間から外に出して前記基板に実装されたバッテリコネクタに前記ポケット部内で接続することが望ましい。
【００１５】
この構成によると、バッテリが備える接続コードを上段空間から外に出して基板に実装されたバッテリコネクタに接続することができる。また、ポケット部内で接続コードをバッテリコネクタに接続することができるので、バッテリの交換を容易に行うことができる。
【発明の効果】
【００１６】
本発明によれば、カバー部材と、基板とカバー部材とで囲まれる内部空間を二分する連設板とが連設部を介して一体に成形されているので、部品点数の削減を図ることができる。また、下段空間にメモリーカードコネクタが収納されることで、上段空間（メモリーカードコネクタの上部に存在する余剰空間）を有効利用できる。その際、上述したように、各収納部を囲うカバー部材を別々に形成する必要がない（各収納部を囲うカバー部材が一体に成形されている）ので、メモリーカードホルダ用ハウジングの高さ（厚さ）が高く（厚く）なるのを防ぐことができ、これにより、当該メモリーカードホルダ用ハウジングが組み込まれた電子機器の薄型化を阻害することがない。
【図面の簡単な説明】
【００１７】
【図１】は、本発明の電子機器の外観を示す背面模式図である。
【図２】は、本発明の電子機器の外観を示す底面模式図である。
【図３】は、本発明の電子機器が備えるメモリーカードホルダユニットを示す正面模式図である。
【図４】は、本発明の電子機器が備えるメモリーカードホルダユニットを示す正面模式図の断面図である。
【図５】は、本発明の電子機器が備えるメモリーカードホルダ用ハウジングの構造を示す第１の上面模式図である。
【図６】は、本発明の電子機器が備えるメモリーカードホルダ用ハウジングの構造を示す第２の上面模式図である。
【図７】は、本発明の電子機器が備えるメモリーカードホルダ用ハウジングの展開構造を示す上面模式図である。
【図８】は、本発明の電子機器が備えるメモリーカードホルダ用ハウジングの展開構造を示す左側面模式図である。
【発明を実施するための形態】
【００１８】
以下に、本発明の本実施形態について、図面を参照して説明する。但し、以下に示す実施形態は、本発明の具体的思想を具体化するために本発明の電子機器の一例であるプログラマブル表示器を示すものであって、本発明をこのプログラマブル表示器に特定することを意味するものではなく、特許請求の範囲に含まれるその他の実施形態の電子機器にも等しく適応し得るものである。
【００１９】
図１及び図２は、それぞれ本発明のプログラマブル表示器の外観を示す背面模式図及び底面模式図である。プログラマブル表示器１は、基板５（基板５はプログラマブル表示器１の内部に備えられ外部から視認することはできないが、図２の直線Ｌ１が基板５の位置に相当する）と、基板５の実装面に実装されたメモリーカードコネクタ７と（以下の説明において、「基板５に実装される」は「基板５の実装面に実装される」ことを意味し、「基板５に取り付けられる」は「基板５の実装面に取り付けられる」ことを意味するものとする。）、基板５に取り付けられることによって基板５との間でメモリーカードコネクタ７を囲むメモリーカードホルダ用ハウジング３とを有している。なお、以下の説明において、基板５とメモリーカードコネクタ７とメモリーカードホルダ用ハウジング３とからなる構成をメモリーカードホルダユニット２という。
【００２０】
また、以下の説明において、「上下」は、基板５に対して垂直方向であって、メモリーカードコネクタ７が実装される基板５の実装面側が「上」、基板５の裏面側が「下」であることとする。また、「前後」は、メモリーカードコネクタ７が基板５に実装された状態において、メモリーカード９が挿入される挿入方向手前側が「前」、挿入方向奥側が「後」であることとする。また、「左右」は、基板５の実装面側を上としたときに基板５に取り付けられたメモリーカード用ハウジング３の前面開口に正対する観察者の左手側が「左」、右手側が「右」であることとする。
【００２１】
基板５は、プログラマブル表示器１に内蔵されている。基板５には、メモリーカードコネクタ７以外に、例えば、図１及び図２に示すＬＡＮコネクタ４や図２に示すバッテリコネクタ６等のコネクタ類やコンデンサ等が実装されている。
【００２２】
メモリーカードコネクタ７は基板５との間にメモリーカード９が着脱可能な隙間をあけて基板５に実装されている。そして、当該隙間にメモリーカード９を挿入することによってメモリーカード９内に情報を書き込み、或いはメモリーカード９内に記憶された情報を読み出すことができる。メモリーカード９としては、例えば、ＳＩＭカード（登録商標）、ＳＤカード（登録商標）、スマートメディア（登録商標）、メモリースティックＤｕｏカード（登録商標）等を挙げることができる。
【００２３】
メモリーカードホルダ用ハウジング３は、底面（下面）及び前面（正面）が開口して形成されており、当該底面開口が基板５に取り付けられることによって基板５との間でメモリーカードコネクタ７を囲む。メモリーカードホルダ用ハウジング３は、後述するように基板５とメモリーカードホルダ用ハウジング３（メモリーカードホルダ用ハウジング３が有するカバー部材３０）とで囲まれる内部空間を基板５に対して垂直方向に二分する板部材（図４に示す連設板３１）を有する。メモリーカードコネクタ７は二分された内部空間の下段に収納され（以下、「二分された内部空間の下段」を「下段空間」という。）、二分された内部空間の上段にはバッテリ（電池）８が収納される（以下、「二分された内部空間の上段」を「上段空間」という。）。
【００２４】
なお、以上及び以下において、メモリーカード用ハウジング３の前面開口は、カバー部材３０の前面開口と同一部分を指し示し、メモリーカード用ハウジング３の底面開口は、カバー部材３０の底面開口と同一部分を指し示すものとする。
【００２５】
メモリーカード用ハウジング３の前面開口は、メモリーカード用ハウジング３が基板５に取り付けられている状態において、メモリーカード９の着脱及びバッテリ８の出し入れを可能にする開口である。
【００２６】
また、メモリーカードホルダ用ハウジング３は、二つの蓋部材（内蓋部１１と外蓋部２１）を有する。内蓋部１１はメモリーカード用ハウジング３の前面開口の一部（上段空間の前面開口（後述する開口部４２ａ及び４４ａ））を覆う蓋部であり、外蓋部２１はメモリーカード用ハウジング３の前面開口全体を覆う蓋部である。なお、図１及び図２は、内蓋部１１と外蓋部２１が共に開状態であるときのプログラマブル表示器１の外観を示す図であるが、内蓋部１１と外蓋部２１が共に閉状態であるときには、外蓋部２１のみが露出した（外部から視認可能な）状態になる（詳細は後述）。
【００２７】
図３は、本発明のプログラマブル表示器１が備えるメモリーカードホルダユニット２を示す正面模式図である。また、図４は、本発明のプログラマブル表示器１が備えるメモリーカードホルダユニット２を示す正面模式図の断面図である。
【００２８】
上述したように、メモリーカードホルダユニット２は、基板５とメモリーカードコネクタ７とメモリーカードホルダ用ハウジング３とからなる。
【００２９】
メモリーカードホルダ用ハウジング３は、カバー部材３０を有し、当該カバー部材３０は、天井壁３０ａと両側面壁（左側面壁３０ｂ及び右側面壁３０ｃ）と背面壁３０ｄとを有して底面及び前面が開口している。両側面壁と背面壁３０ｄの底部には、カバー部材３０を基板５に固定するための係合フック３８が合計三つ形成されており、当該係合フック３８がこれらに対応するように基板５に設けられた孔部３９に挿入されることによって、メモリーカードホルダ用ハウジング３が基板５に固定される。
【００３０】
また、メモリーカードホルダ用ハウジング３は、メモリーカードホルダ用ハウジング３が基板５に固定された状態において（メモリーカードホルダ用ハウジング３を基板５に取り付けることで）、基板５とメモリーカードホルダ用ハウジング３（メモリーカードホルダ用ハウジング３が有するカバー部材３０）とで囲まれる内部空間を、基板５に対して垂直方向に二分する連設板３１を有している。そして、カバー部材３０の天井壁３０ａと連設板３１との間に形成される空間はバッテリ収納部４２を構成し、連設板３１と基板５との間に形成される空間はメモリーカード収納部４１を構成する。
【００３１】
カバー部材３０の左側面壁３０ｂは、その前部が側方（メモリーカード９の挿入方向に直角な方向且つ基板５の実装面に略平行方向）に膨出して形成されていることにより、基板５とメモリーカードホルダ用ハウジング３（メモリーカードホルダ用ハウジング３が有するカバー部材３０）とで囲まれる内部空間において、メモリーカード収納部４１及びバッテリ収納部４２の左側に、左側面壁３０ｂの前部（左側面壁３０ｂにおいて膨出して形成されている部分）と基板５とカバー部材３０の天井壁３０ａに囲まれるようにして形成されるポケット部から構成される接続コード収納部４４が形成される。つまり、本実施形態において、基板５とメモリーカードホルダ用ハウジング３（メモリーカードホルダ用ハウジング３が有するカバー部材３０）とで囲まれる内部空間は、メモリーカード収納部４１とバッテリ収納部４２と接続コード収納部４４とに分けられている。
【００３２】
なお、バッテリ収納部４２と接続コード収納部４４との間は、連設板３１によって仕切られておらず、バッテリ収納部４２に収納されたバッテリ８が備える接続コードと基板５に実装されたバッテリコネクタ６とをポケット部（接続コード収納部４４）内で接続することができる。これにより、内蓋部１１がバッテリ収納部４２の開口部４２ａを閉鎖している状態であっても、バッテリ８と基板５に実装されたバッテリコネクタ６を接続することができる。このように、バッテリ収納部４２と接続コード収納部４４とは、連設板３１によって仕切られていないので、本実施形態における上部空間は、バッテリ収納部４２と接続コード収納部４４とから構成されているということができる。
【００３３】
一方、メモリーカード収納部４１と接続コード収納部４４との間は、連設板３１が有する左側面壁３１ｂによって仕切られている。これにより、バッテリ８が備える接続コードが接続コード収納部４４からメモリーカード収納部４１に入ってくるのを防ぐことができる。
【００３４】
メモリーカード収納部４１とバッテリ収納部４２と接続コード収納部４４とは、それぞれ開口部４１ａ、４２ａ、４４ａが形成されており、これら開口部４１ａ、４２ａ、４４ａがカバー部材３０の前面開口を構成している。言い換えると、連設板３１はカバー部材３０の前面開口を、上段空間の前面開口と下段空間の前面開口とに分割する。開口部４２ａと開口部４４ａとの間は、連設板３１により仕切られていないため、上段空間の前面開口は、開口部４２ａと開口部４４ａとから構成され、下段空間の前面開口は開口部４１ａから構成される。なお、開口部４１ａ、４２ａはそれぞれメモリーカード９、バッテリ８の出し入れを行うために形成されている。また、開口部４４ａはバッテリが備える接続コードを基板に実装されたバッテリコネクタ６に接続するために形成されている。
【００３５】
そして、メモリーカードホルダ用ハウジング３は、開口部４２ａと４４ａと（上段空間の前面開口）を覆う内蓋部１１と、開口部４１ａ、４２ａ、４４ａ（カバー部材３０の前面開口全体）を覆う外蓋部２１を有する。以下、内蓋部１１及び外蓋部２１について説明する。
【００３６】
カバー部材３０の右側面壁３０ｃの前部には、内蓋部１１の付け根部分として内蓋部用ヒンジ１４が形成されている。内蓋部１１の先端部には、内蓋部１１が閉状態であるときに左側面壁３０ｂに向く面に係止溝１３を有するＵ字状のフック部１２が形成されており、当該フック部１２の係止溝１３が、カバー部材３０の左側面壁３０ｂの前部に右側面壁３０ｃに向かって突出形成されている係止受５２に係止されることによって内蓋部１１はバッテリ収納部４２の開口部４２ａを閉鎖する位置に維持される。
【００３７】
なお、本実施形態では内蓋部１１が凹形状の係止溝１３を有し、左側面壁３０ｂが凸形状の係止受５２を有することとしているが、内蓋部１１が凸形状の係止受を有し、左側面壁３０ｂが凸形状の係止溝を有することとしてもよい。以下の外蓋部２１においても同様である。
【００３８】
カバー部材３０の左側面壁３０ｂの前部には、外蓋部２１が取り外し可能に取り付けられる（連設される）外蓋部用ヒンジ２４（図５及び図６参照）が形成されている。外蓋部２１はそれを閉状態にしたときに、先に閉状態にされている内蓋部１１の外面に当接する。つまり、外蓋部２１は内蓋部１１が閉状態で（内蓋部１１が上段空間の前面開口（開口部４２ａ及び開口部４４ａ）を閉鎖している状態で）カバー部材３０の前面開口全体を覆う蓋部である。従って内蓋部１１が開状態（内蓋部１１が上段空間の前面開口（開口部４２ａ及び開口部４４ａ）を開放している状態）であるときには、内蓋部１１が邪魔をして外蓋部２１を閉状態にすることができない。
【００３９】
なお、外蓋部２１の先端部には、外蓋部２１が閉状態であるときに右側面壁３０ｃに向く面に係止溝２３を有するＵ字状のフック部２２が形成されており、当該フック部２２の係止溝２３がカバー部材３０の右側面壁３０ｃの前部に左側面壁３０ｂに向かって突出形成されている係止受５１に係止されることによって外蓋部２１が、カバー部材３０の前面開口全体（開口部４１ａ、４２ａ、４４ａ）を閉鎖する位置に維持される（図５及び図６を参照、詳細は後述）。
【００４０】
つまり、内蓋部１１はカバー部材３０の右側面壁３０ｃの前部に形成された内蓋部用ヒンジ１４を支点とする右開きとなり、一方外蓋部２１はカバー部材３０の左側面壁３０ｂの前部に形成された外蓋部用ヒンジ２４を支点とする左開きとなる。
【００４１】
なお、本実施形態においては内蓋部用ヒンジ１４をカバー部材３０の右側面壁３０ｃの前部に形成し、外蓋部用ヒンジ２４をカバー部材３０の左側面壁３０ｂの前部に形成しているが、これには限られず内蓋部用ヒンジ１４をカバー部材３０の左側面壁３０ｂの前部に形成し、外蓋部用ヒンジ２４をカバー部材３０の右側面壁３０ｃの前部に形成することとしてもよい。但し、内蓋部用ヒンジ１４と外蓋部用ヒンジ２４を同一側面壁の前部（例えば、共にカバー部材３０の左側面壁３０ｂの前部）に形成すると、閉状態である外蓋部２１を開状態にするために外蓋部２１に力を加えたときに、外蓋部用ヒンジ２４にかかる力が左側面壁３０ｂを左方向に歪曲し、これに伴って左側面壁３０ｂの前部に形成されている内蓋部用ヒンジ１４も左方向に移動することによって、フック部１２の係止溝１３と係止受５２の係止が外れて閉状態である内蓋部１１が開状態となる可能性がある。従って、内蓋部用ヒンジ１４と外蓋部用ヒンジ２４とは、一方をカバー部材３０の右側面壁３０ｂの前部に形成し、他方をカバー部材３０の左側面壁３０ｃの前部に形成することが望ましい。
【００４２】
また、本実施形態において、カバー部材３０と内蓋部１１が内蓋部用ヒンジ１４を介して一体に成形されているのに対し、外蓋部２１はカバー部材３０と一体に成形されていない（外蓋部用ヒンジ２４に取り外し可能に取り付けられている）が、用途に応じて内蓋部１１を内蓋部用ヒンジ１４に取り外し可能に取り付けることとしてもよいし、カバー部材３０と外蓋部２１とが外蓋部用ヒンジ２４を介して一体に成形されることとしてもよい。すなわち、メモリーカード９を出し入れするときなど頻繁に開閉される蓋部をカバー部材３０と一体に成形すると、ヒンジが破損しやすくなるため蓋部をカバー部材３０と別部品とすることが望ましい。一方、バッテリの落下を防止するために必要であるが、通常であれば何年間も交換する必要がなく、頻繁に開閉されることが想定されない蓋部であれば、カバー部材３０と一体に成形することによってメモリーカードホルダ用ハウジング３の部品点数の削減を図ることができる。
【００４３】
カバー部材３０の内部における連設板３１の位置について詳説すると、カバー部材３０の右側面壁３０ｃには段部３０ｅが形成されており、連設板３１はカバー部材３０の内部において、段部３０ｅに当たる（接触する）ことにより、カバー部材３０の内部における位置が決定される。そして、後述するカバー部材３０に形成されているハウジング側係合部３３、３４と連設板３１に形成されている連設板側係合部３５、３６が係合することによって、カバー部材３０の段部３０ｅによって決定された位置で連設板３１を保持する。
【００４４】
メモリーカード収納部４１の高さＨ１とバッテリ収納部４２の高さＨ２は、その内部に収納されるメモリーカードコネクタ７やバッテリ８の高さによって定まり、メモリーカードホルダ用ハウジング３の高さＨ３は、メモリーカード収納部４１の高さＨ１とバッテリ収納部４２の高さＨ２とカバー部材３０の天井壁３０ａ及び連設板３１の厚みとによって定まるものである。従って、基板５に実装される他の部品（例えばＬＡＮコネクタ４）の高さがメモリーカードホルダ用ハウジング３の高さＨ３より低い場合には、メモリーカード収納部４１及びバッテリ収納部４２に収納されるメモリーカードコネクタ７やバッテリ８を変更することによってメモリーカードホルダ用ハウジング３の高さＨ３を調整することができる。
【００４５】
例えば、図２に示すようにメモリーカードホルダ用ハウジング３が組み込まれるプログラマブル表示器１にはＬＡＮケーブルが挿入可能なＬＡＮコネクタ４が備えられており、当該ＬＡＮコネクタ４はメモリーカードホルダ用ハウジング３と同様に基板５に実装されている。そして、図２の直線Ｌ１と直線Ｌ２が示すようにメモリーカードホルダ用ハウジング３の高さをＬＡＮコネクタ４の高さよりもやや低く形成することによって、メモリーカード収納部４１の上段空間を有効活用でき、プログラマブル表示器１の薄型化を阻害することがない（メモリーカードホルダ用ハウジング３の高さがＬＡＮコネクタ４の高さよりも高くなると、メモリーカード収納部４１の上段空間は有効活用できるが、プログラマブル表示器１の薄型化に反することとなる）。
【００４６】
図５は、本発明の電子機器が備えるメモリーカードホルダ用ハウジング３の構造を示す第１の上面模式図である。また、図６は、本発明の電子機器が備えるメモリーカードホルダ用ハウジング３の構造を示す第２の上面模式図である。
【００４７】
なお、図５において、メモリーカードホルダ用ハウジング３が備える外蓋部２１は開状態であり、内蓋部１１は閉状態である。一方、図６において、メモリーカードホルダ用ハウジング３が備える外蓋部２１及び内蓋部１１は共に閉状態である。
【００４８】
上述したように、外蓋部２１は外蓋部用ヒンジ２４に取り外し可能に取り付けられ、当該外蓋部用ヒンジ２４を支点として閉状態となり、或いは開状態となる。外蓋部２１が閉状態になるときについて詳説すると、外蓋部２１の先端部には、外蓋部２１が閉状態であるときに右側面壁３０ｃに向く面に係止溝２３を有するＵ字状のフック部２２が形成されており、当該フック部２２の係止溝２３がカバー部材３０の右側面壁３０ｃの前部に右側面壁３０ｂに向かって突出形成されている係止受５１に係止されることによって外蓋部２１が、内蓋部１１によって閉鎖されたバッテリ収納部４２の開口部４２ａとメモリーカード収納部４１の開口部４１ａを共に覆う。
【００４９】
また、図６に示すように、外蓋部２１は閉状態において内蓋部１１の外面に当接して内蓋部１１が開状態となることを阻止している。
【００５０】
次に、上述したような本発明のメモリーカードホルダ用ハウジング３の構造について説明する。図７は、本発明のメモリーカードホルダ用ハウジング３の展開構造を示す上面模式図であり、図８は、本発明のメモリーカードホルダ用ハウジング３の展開構造を示す左側面模式図である。図７及び図８において、メモリーカードホルダ用ハウジング３はプラスチックで形成されており、組み立てることによって上述したようなメモリーカードホルダ用ハウジング３を形成することができる。なお、本実施形態及び以下の実施形態において、メモリーカードホルダ用ハウジング３は、プラスチックの射出成形で形成されていることとしているが、板金のプレス成形で形成されるものであってもよい。
【００５１】
メモリーカードホルダ用ハウジング３は、本体を形成するカバー部材３０と、カバー部材３０を仕切る連設板３１と、カバー部材３０と連設板３１を連設する薄肉ヒンジ部により構成された連設部３２と、内蓋部１１と、カバー部材３０と内蓋部１１を連設する内蓋部用ヒンジ１４との一体成形体と、上述した外蓋部２１を含む。なお、外蓋部２１は図７及び図８において、説明の簡略化のため図示していないが、上述したように外蓋部用ヒンジ２４に取り外し可能に取り付けられている。
【００５２】
カバー部材３０は、両側面壁（左側面壁３０ｂ及び右側面壁３０ｃ）と背面壁３０ｄとを有する。左側面壁３０ｂの前部は、側方に膨出した形状に形成されており、併せてカバー部材３０の天井壁３０ａが上面視で略Ｌ字形状となるように形成されている。左側面壁３０ｂにはハウジング側第１係合部３３が形成され、右側面壁３０ｃにはハウジング側第２係合部３４が形成されている。また、左側面壁３０ｂ及び右側面壁３０ｃは後述する連設板３１の左側面壁３１ｂ及び右側面壁３１ｃを嵌合させるために一部切り欠いた形状に形成されている。
【００５３】
連設板３１は、ベース壁３１ａと両側面壁（左側面壁３１ｂ及び右側面壁３１ｃ）とを含む。左側面壁３１ｂと右側面壁３１ｃとはベース壁３１ａの両端部を略直角方向に折り曲げること（立ち上げること）によって形成される。左側面壁３１ｂには、ハウジング側第１係合部３３に係合する連設板側第１係合部３５が形成されており、右側面壁３１ｃにハウジング側第２係合部３４に係合する連設板側第２係合部３６が形成されている。連設板３１はカバー部材３０の底面開口に連設された連設部３２を介してカバー部材３０と連設しており、連設部３２は連設板３１をカバー部材３０の底面側に折り曲げ可能に形成されている。
【００５４】
左側面壁３１ｂの長さは、メモリーカードホルダ用ハウジング３を基板５に取り付けたときに、メモリーカード収納部４１と接続コード収納部４４との間に突き出す長さに形成されている。従って、メモリーカード収納部４１と接続コード収納部４４との間を、連設板３１の左側面壁３１ｂが塞ぐ（連設板３１の左側面壁３１ｂがメモリーカード収納部４１と接続コード収納部４４の境界を構成する障壁（仕切り）となる）ので、上述したように、接続コードが接続コード収納部４４からメモリーカード収納部４１に入ることを防ぐことができる。
【００５５】
図８に示すように、カバー部材３０の高さＨ４は、カバー部材３０の天井壁３０ａと連設板３１との高さの差Ｈ５よりも高くなるように形成されている。これによって、連設部３２を二つ折りにして連設板３１を矢印Ｓが示すように、カバー部材３０の底面側からカバー部材３０の内部に入り込ませることでハウジング側係合部３３、３４と連設板側係合部３５、３６とをそれぞれ係合させた際に、連設板３１が基板５とカバー部材３０とで囲まれる内部空間を連設板３１とカバー部材３０の天井壁３０ａとの間に形成される空間（図３及び図４に示すバッテリ収納部４２）と、連設板３１と基板５との間に形成される空間（図３及び図４に示すメモリーカード収納部４１）とに分ける。
【００５６】
カバー部材３０の天井壁３０ａには三方が天井壁３０ａから切り離されたバネ片３７がカバー部材３０の内部に向かって沈み込むように形成されている。また、バネ片３７はカバー部材３０の天井壁３０ａに向かい合わせに一対に形成されておりバッテリ収納部に収納される部品を天井壁３０ａから連設板３１に向かって押さえつけることにより、部品を連設板３１に固定する。
【００５７】
＜変形例＞
上記実施形態においては、カバー部材３０の左側面壁３０ｂの前部が側方に膨出して形成されていることとしているが、カバー部材３０の右側面壁３０ｃの前部が側方に膨出して形成されていることとしてもよい。その場合には、連設板３１の右側面壁３１ｃの長さをメモリーカード収納部４１と接続コード収納部４４との間に突き出す長さに形成する（連設板３１の右側面壁３１ｃがメモリーカード収納部４１と接続コード収納部４４の境界を構成する障壁（仕切り）となる）。また、バッテリ収納部４２に収納されるバッテリ８が、基板５との接続を必要としない部品である場合には、カバー部材３０の左側面壁３０ｂの前部を側方に膨出しないこととしてもよい。
【産業上の利用可能性】
【００５８】
本発明は、基板と、当該基板に実装されたメモリーカードコネクタと、当該基板に取り付けられて当該基板との間で当該メモリーカードコネクタを囲むメモリーカードホルダ用ハウジングと、を有する電子機器に利用できる。
【符号の説明】
【００５９】
１  プログラマブル表示器
２  メモリーカードホルダユニット
３  メモリーカードホルダ用ハウジング
７  メモリーカードコネクタ
９  メモリーカード
１１  内蓋部
２１  外蓋部
３０  カバー部材
３１  連設板
３２  連設部
４１  メモリーカード収納部
４２  バッテリ収納部
４４  接続コード収納部
【図１】
0005486546.tif 000002
【図２】
0005486546.tif 000003
【図３】
0005486546.tif 000004
【図４】
0005486546.tif 000005
【図５】
0005486546.tif 000006
【図６】
0005486546.tif 000007
【図７】
0005486546.tif 000008
【図８】
0005486546.tif 000009